【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
流入口手段、流出口手段、および流入口手段と流出口手段の間に伸びるマイクロチャネル配列を含むランダム化流路を有する主要部分を備えるマイクロフロー装置であって、該マイクロチャネル配列が、マイクロチャネルの基部表面と一体化しかつそこから突出している複数の流路を横断するセパレータポストを含み、該ポストが、数学的アルゴリズムによって生成されるランダム化パターンで配置され、該ランダム化パターンが、該ランダム化流路を提供できるパターンである、マイクロフロー装置。
【請求項２】
数学的アルゴリズムが、前記ランダム化パターンを生成するために、ポストの総数とポストのうちの2つの間の最小距離とを用いる、請求項1記載の装置。
【請求項３】
ポストが、基部表面に対して実質的に垂直に整列化される、請求項1または2に記載の装置。
【請求項４】
ポストが、少なくとも2つの異なる横断面サイズを有する、請求項1から3のいずれか一項記載の装置。
【請求項５】
ポストの平均横断面サイズが、マイクロチャネルを流れる標的分子のサイズに関連する、請求項1から4のいずれか一項記載の装置。
【請求項６】
ポストの総容量が、マイクロチャネルの総容量の約15％〜約25％である、請求項1から5のいずれか一項記載の装置。
【請求項７】
2つのポスト間の最小距離が、ポストの最小横断面サイズに関連する、請求項1から6のいずれか一項記載の装置。
【請求項８】
マイクロチャネルの表面が、PEG、PPG、またはそのコポリマーのイソシアネート官能性ポリマーを含む少なくとも約1ミクロンの厚さの親水性の層でコーティングされる、請求項1から7のいずれか一項記載の装置。
【請求項９】
マイクロチャネルの表面が、抗体、抗原、受容体、リガンド、オリゴヌクレオチド、およびペプチドからなる群より選択される隔離剤でコーティングされる、請求項1から8のいずれか一項記載の装置。
【請求項１０】
隔離剤が、親水性リンカーまたはヒドロゲル層によってマイクロチャネルの表面に結合される、請求項1から9のいずれか一項記載の装置。
【請求項１１】
流入口手段が、液体試料を保持することが可能なウェルを含む、請求項1から10のいずれか一項記載の装置。
【請求項１２】
マイクロチャネルが、ポストの自由端に取り付けられたプレートで密封される、請求項1から11のいずれか一項記載の装置。
【請求項１３】
マイクロチャネルが、光学的に透過性である基部表面を含み、かつ光学的検出手段によって見ることができる、請求項1から12のいずれか一項記載の装置。
【請求項１４】
請求項1から13のいずれか一項記載の装置と、マイクロチャネルの表面を隔離剤でコーティングするための説明書とを含む、キット。
【請求項１５】
マイクロチャネルの表面が隔離剤でコーティングされている、請求項1から13のいずれか一項記載の装置を含むキット。
【請求項１６】
以下の段階を含む、試料中の標的分子を捕捉する方法：
該試料を含む液体本体を、請求項1から13のいずれか一項記載の装置のマイクロチャネル中を流れさせる段階であって、該マイクロチャネルの表面が標的分子に結合可能な隔離剤でコーティングされている、段階。
【請求項１７】
標的分子を検出する工程をさらに含む、請求項16記載の方法。
【請求項１８】
標的分子が癌、腫瘍細胞、または胎児細胞である、請求項16または17記載の方法。
【請求項１９】
標的分子が標的細胞であり、試料中の標的細胞数と総細胞数の比が、少なくとも1：107、1：108、または1：109である、請求項16から18のいずれか一項記載の方法。
【請求項２０】
試料を含む液体本体が、約0.5 mm〜約5 mm／秒の速度でマイクロチャネルを通って流れる、請求項16から19のいずれか一項記載の方法。
【手続補正２】
【補正対象書類名】明細書
【補正対象項目名】００２４
【補正方法】変更
【補正の内容】
【００２４】
なお別の態様において、本発明は、試料を含む液体本体を本発明の装置のマイクロチャネル中を流れさせることを含む、試料中で標的分子を検出する方法を提供する。ここで、マイクロチャネル表面は、標的分子に結合しかつ標的分子を検出することが可能な隔離剤でコーティングされている。
[請求項101]
流入口手段、流出口手段、および流入口手段と流出口手段の間に伸びるマイクロチャネル配列を含むランダム化流路を有する主要部分を備えるマイクロフロー装置であって、該マイクロチャネル配列が、マイクロチャネルの基部表面と一体化しかつそこから突出している複数の横断するセパレータポストを含み、該ポストが該ランダム化流路を提供できるパターンで配置される、マイクロフロー装置。
[請求項102]
ポストが、基部表面に対して実質的に垂直に整列化される、請求項101記載の装置。
[請求項103]
ポストが、数学的アルゴリズムによって生成されるランダム化パターンで配置される、請求項101記載の装置。
[請求項104]
ポストが、該ポストの総数と該ポストのうちの2つの間の最小距離を用いた数学的アルゴリズムによって生成されるランダム化パターンで配置される、請求項101記載の装置。
[請求項105]
ポストが、少なくとも2つの異なる横断面サイズを有する、請求項101記載の装置。
[請求項106]
ポストの平均横断面サイズが、マイクロチャネルを流れる標的分子のサイズに関連する、請求項101記載の装置。
[請求項107]
ポストの横断面が、マイクロチャネルの基部表面の横断面の約20%〜約75%を占める、請求項101記載の装置。
[請求項108]
ポストの総容量が、マイクロチャネルの総容量の約15%〜約25%である、請求項101記載の装置。
[請求項109]
2つのポスト間の最小距離が、ポストの最小横断面サイズに関連する、請求項101記載の装置。
[請求項110]
マイクロチャネルの表面が親水性の層でコーティングされる、請求項101記載の装置。
[請求項111]
マイクロチャネルの表面が、PEG、PPG、またはそのコポリマーのイソシアネート官能性ポリマーを含む少なくとも約1ミクロンの厚さの親水性の層でコーティングされる、請求項101記載の装置。
[請求項112]
マイクロチャネルの表面が隔離剤(sequestering agent)でコーティングされている、請求項101記載の装置。
[請求項113]
マイクロチャネルの表面が、抗体、抗原、受容体、リガンド、オリゴヌクレオチド、およびペプチドからなる群より選択される隔離剤でコーティングされる、請求項101記載の装置。
[請求項114]
隔離剤が、リンカーによってマイクロチャネルの表面に結合される、請求項101記載の装置。
[請求項115]
隔離剤が、親水性リンカーまたはヒドロゲル層によってマイクロチャネルの表面に結合される、請求項101記載の装置。
[請求項116]
流入口手段が、液体試料を保持することが可能なウェルを含む、請求項101記載の装置。
[請求項117]
マイクロチャネルが、ポストの自由端に取り付けられたプレートで密封される、請求項101記載の装置。
[請求項118]
マイクロチャネルが、光学的に透過性である基部表面を含み、かつ光学的検出手段によって見ることができる、請求項101記載の装置。
[請求項119]
マイクロチャネルが、ポストの自由端に取り付けられたプレートで密封され、該マイクロチャネルの基部表面および該プレートが、光学的に透過性である、請求項101記載の装置。
[請求項120]
請求項101記載の装置と、マイクロチャネルの表面を隔離剤でコーティングするための説明書とを含む、キット。
[請求項121]
マイクロチャネルの表面が隔離剤でコーティングされている、請求項101記載の装置を含むキット。
[請求項122]
以下の段階を含む、試料中の標的分子を捕捉する方法:
該試料を含む液体本体を、請求項101記載の装置のマイクロチャネル中を流れさせる段階であって、該マイクロチャネルの表面が標的分子に結合可能な隔離剤でコーティングされている、段階。
[請求項123]
以下の段階を含む、試料中の標的分子を検出する方法:
該試料を含む液体本体を、請求項101記載の装置のマイクロチャネル中を流れさせる段階であって、該マイクロチャネルの表面が標的分子に結合可能な隔離剤でコーティングされている、段階、および
標的分子を検出する段階。
[請求項124]
標的分子が状態に関連する細胞である、請求項123記載の方法。
[請求項125]
標的分子が癌または腫瘍細胞である、請求項123記載の方法。
[請求項126]
標的分子が胎児細胞である、請求項123記載の方法。
[請求項127]
標的分子が標的細胞であり、試料中の標的細胞数と総細胞数の比が、少なくとも1:107、1:108、または1:109である、請求項123記載の方法。
[請求項128]
試料を含む液体本体が、約0.5 mm〜約5 mm/秒の速度でマイクロチャネルを通って流れる、請求項123記載の方法。